(57)【要約】【課題】ディスクをしっかり保持できるディスクホルダを提供する。【解決手段】ディスク５０を収納する本体１とディスク５０を出し入れする出入口２及び蓋体３とを備え、これらは一体のものを折り曲げ、両脇を溶着して形成されており、比較的柔らかな合成樹脂からなっている。本体１にはディスク孔５１と略同じ位置にホルダ孔４が形成されている。蓋体３には係止片５が切り起こされて形成されている。切り起こしの基部には円形の切欠部６、６が形成されている。蓋体３は折り曲げて、本体１上にかぶせ、係止片５をホルダ孔４とディスク孔５１とに挿通してディスク５０を係止する。また同時に蓋体３自体も本体１に係止される。【選択図】  図２
2004238018.tif 000002
【特許請求の範囲】
【請求項１】
孔を有するディスクを収納するディスクホルダであって、
前記ディスクの孔に対応する位置に設けられたホルダ孔と、
該ホルダ孔とディスクの孔とに挿通され、前記ディスクをホルダ孔に係止する係止片と、
を備えたことを特徴とするディスクホルダ。
【請求項２】
孔を有するディスクを収納するディスクホルダであって、
ディスクを収納する本体と、
該本体に設けられたディスクの出入口と、
該出入口を開閉する蓋体と、
前記ディスクの孔に対応する位置に前記本体上に設けられたホルダ孔と、
前記蓋体に設けられ、該ホルダ孔とディスクの孔とに挿通され、前記ディスクをホルダ孔に係止する係止片と、
を備えたことを特徴とするディスクホルダ。
【請求項３】
前記係止片が、
蓋体の一部を切り起こして形成され、
該切り起こしの基部に曲線状切欠部を形成し、
該切欠部に前記ホルダ孔の本体辺と前記ディスの孔のディスク辺とを係止する、
請求項２に記載のディスクホルダ。
【発明の詳細な説明】
【０００１】
【発明の属する技術分野】
この発明は、ＣＤ（コンパクトディスク）やＤＶＤ等のディスクホルダに関する。
【０００２】
【従来の技術】
ＣＤは音楽やコンピュータ用のプログラム等の記憶媒体として、広く普及している。また、近年ＤＶＤ等の記憶媒体も普及しつつある。これらは円形のディスク状をしており、その中央部に孔が設けられ、該孔を介して再生機に装着されるように構成されている点で共通している。
これらのＣＤやＤＶＤを収納するケースであるディスクホルダが種々開発され、市販されている。ディスクホルダの典型的なものとして、合成樹脂を射出形成した硬いハードケースとシート材を用いたソフトケースとがある。ハードケースは前記した孔に係止する突起部が形成されており、ディスクをしっかりと固定できる利点がある。
ソフトケースは袋状に形成されており、軽量でかさばらない利点がある。
【０００３】
【特許文献１】特開平１１−５９７６４号公報
【特許文献２】特許公開２００１−１９０７５号公報
【０００４】
【発明が解決しようとする課題】
しかし、ハードケースの場合には、型を作成するためのコストが大きく、デザインの変更などが難しい問題があった。また原料として合成樹脂を使用する必要があり、原料が限定される上、廃棄の際の処理に問題があった。更にハードケースの開閉は子供や老人には難しい上、ケースが破損した場合、けがをする等の問題もあった。
一方ソフトケースの場合、出し入れのためにディスクの直径より袋の幅を若干大きく作る必要があること等から、袋の中でディスクは完全には係止されず、運搬中にディスクが動く等、保管性の点で問題があった。
本発明は上記従来技術の欠点を改善することを目的とするもので、ディスクをしっかり保持できるディスクホルダを提供することを目的とする。
【０００５】
【課題を解決するための手段】
上記目的を達成するために、本発明は、孔を有するディスクを収納するディスクホルダであって、前記ディスクの孔に対応する位置に設けられたホルダ孔と、該ホルダ孔とディスクの孔とに挿通され、前記ディスクをホルダ孔に係止する係止片と、  を備えたことを特徴とする。
更に請求項２の発明は、孔を有するディスクを収納するディスクホルダであって、ディスクを収納する本体と、該本体に設けられたディスクの出入口と、該出入口を開閉する蓋体と、前記ディスクの孔に対応する位置に前記本体上に設けられたホルダ孔と、前記蓋体に設けられ、該ホルダ孔とディスクの孔とに挿通され、前記ディスクをホルダ孔に係止する係止片と、を備えたことを特徴とする。
上記構成において、係止片によりディスクが本体に係止されるため、ディスクがしっかり保持される。
前記係止片は、蓋体の一部を切り起こして形成するのが望ましく、更に該切り起こしの基部に曲線状切欠部を形成し、該切欠部に前記ホルダ孔の本体辺と前記ディスの孔のディスク辺とを係止する、ように構成することによりディスクの係止をより確実に行うことができる。
【０００６】
【発明の実施の形態】
以下本発明の実施の形態を図面に基づいて説明する。
図１乃至図３において、ディスクホルダＡは、ディスク５０を収納する本体１とディスク５０を出し入れする出入口２及び蓋体３とを備えている。この本体１と出入口２及び蓋体３は図３に示すように一体のものを折り曲げ、両脇を溶着して形成されており、比較的柔らかな合成樹脂からなっている。本体１の内部には不織布からなる中仕切１５が設けられ、ディスク収納部１０とラベル収納部１１とを形成している。
【０００７】
本体１にはホルダ孔４が形成されている。ホルダ孔４はディスク孔５１と略同じ位置に形成されている。
蓋体３には係止片５が切り起こされて形成されている。切り起こしの基部には円形の切欠部６、６が形成されており、後述するようにディスク５０をしっかりと係止する機能を発揮するようになっている。
【０００８】
蓋体３は図２に示すように折り曲げて、本体１上にかぶせるようになっている。そして、係止片５をホルダ孔４とディスク孔５１とに挿通してディスク５０を係止するようになっている。また同時に蓋体３自体も本体１に係止される。
【０００９】
係止片５による係止の状態を図４に示す。
係止片５はホルダ孔４とディスク孔５１を通過して（Ａ、Ｂ）、ディスク５０の下側に挿入され（Ｃ）、ディスク５０を本体１にしっかりと係止するようになっている。
【００１０】
この実施形態では上記したように切欠部６、６によりディスク５０の保持がより確実に行われるようになっている。
図５と図６に示すように、切欠部６がホルダ孔４の本体辺４０とディスク孔５１のディスク辺５２とを抱え込むように保持し、ディスク５０をしっかりと本体１に係止することができる。
【００１１】
なお、ホルダ孔４の本体辺４０は図２に示すように係止片５の差し込み方向に幅が狭くなるように斜めになっており、この形状により係止片５を差し込みやすく、且つ切欠部６、６による係止をしっかり行えるようになっている。
またホルダ孔４を全体的に矢印の形状とし、係止片５の差し込み方向を簡単に認識できるようになっている。
更にディスクホルダＡは全体を８０円の郵便料で郵送できる大きさとしてある。
【００１２】
【発明の効果】
以上説明したように本発明のディスクホルダによれば、ディスクをしっかりと保持でき、ホルダ内で動くことがない効果がある。
【図面の簡単な説明】
【図１】本発明の一実施形態を示す正面図。
【図２】本発明の一実施形態の蓋を閉めた状態を示す正面図。
【図３】本発明の一実施形態の内部構造を示す説明図。
【図４】本発明の一実施形態の動作を示す説明図。
【図５】本発明の一実施形態における係止片５による係止構造の説明図。
【図６】図５のＸ−Ｘ線断面図。
【符号の説明】
１：本体、２：出入口、３：蓋体、４：ホルダ孔、５：係止片、６：切欠部、１０：ディスク収納部、１１：ラベル収納部、１５：中仕切、４０：本体辺、５０：ディスク、５１：ディスク孔、５２：ディスク辺。
【図１】
2004238018.tif 000003
【図２】
2004238018.tif 000004
【図３】
2004238018.tif 000005
【図４】
2004238018.tif 000006
【図５】
2004238018.tif 000007
【図６】
2004238018.tif 000008